(57)【特許請求の範囲】
【請求項１】
イオン水を生成する電解槽を備えたイオン水生成器であって、このイオン水生成器は、薄型の箱形状をしており、この箱形状の幅狭の側面に操作部を配置し、かつ、前記設置面は、少なくとも、この操作部を有する幅狭の側面に対向する幅狭の側面と、この操作部を有する幅狭の側面に隣接する幅狭の側面と幅広の側面と、から選択してなり、更に、通水のための導入口と捨水を排水するための導出口とを少なくとも２面にそれぞれ配置し、一方の導入口と導出口とにホースを接続し、他方の導入口と導出口とに塞ぎ蓋で塞ぐことを特徴とするイオン水生成器。
【請求項２】
前記イオン水生成器の幅広の側面が金属板で形成されていることを特徴とする請求項１に記載のイオン水生成器。
【請求項３】
前記イオン水生成器のイオン水を使用者に供給する吐水管は、操作部を有する面に接続してなることを特徴とする請求項１又は２のいずれか１つに記載のイオン水生成器。
【請求項４】
前記吐水管は、側面に斜めに配置した突設部とこの突設部に連通されたフレキシブルホースとから構成され、さらに、突設部は、回転自在に設けられていることを特徴とする請求項３に記載のイオン水生成器。
【発明の詳細な説明】
【０００１】
【発明の属する技術分野】
本発明は、水を電気分解しイオン水を生成する電解槽を備えたイオン水生成器に関する。
【０００２】
【従来の技術】
従来のイオン水生成器１００は、イオン水を生成する電解槽（図示せず）と原水（水道水）の異物等を除去する浄水カートリッジ（図示せず）を内蔵している。
そして、このイオン水生成器１００は、台所用の家庭用器具として広く浸透しつつある。特に、シンク２６周辺に設置される据置型が、家庭用イオン水生成器１００の主流となっている。
【０００３】
図２０に示すように、従来の据置型のイオン水生成器１００は、水栓２３に接続した切替弁３５から分岐ホース１１を介して、原水をイオン水生成器１００内に導入し、内蔵した浄水カートリッジ（図示せず）で浄化され、さらに電解槽（図示せず）でイオン分解処理されたイオン水を吐水管４により吐出する。そして、このような据置型のイオン水生成器１００は、各社から提案されている。（たとえば、非特許文献１を参照のこと）
【０００４】
【非特許文献１】
ＴＯＴＯ総合カタログ２００１−２００２  Ｐ６９８
【０００５】
【発明が解決しようとする課題】
この従来の据置型のイオン水生成器１００は、流しのシンクトップ２６ａ上に設置して使用されるため、設置場所を確保する必要がある。
しかしながら、流しのシンクトップ２６ａにおいて、フラット面を有する部分は限られており、安定してイオン水生成器１００を配置することが困難な場合が少なくない。
さらに、流しのシンクトップ２６ａは、台所で使用する他の備品を設置することにも利用されている。この場合、さらにイオン水生成器１００を設置する空間は小さくなり、設置場所に制約を受けてしまう。
【０００６】
また、どこにどのように設置するかは、上述した安定性のほかに、次の事項を考慮する必要がある。
（１）ｐＨ濃度を切り替えたりするために操作部３を前面にして、操作部３を容易に操作する位置に配置すること
（２）イオン水生成器１００に設けられた吐水管４からシンク２６内にイオン水を吐水できるように配置すること
（３）水栓２３からの分岐ホース１１を分岐しイオン水生成器１００の決められた接手に接続すること
（４）イオン水生成器１００の電解槽でイオン分解するための電源３６を確保すること
などが挙げられる。
このような条件も満足しつつ、イオン水生成器１００を流しのシンクトップ２６ａ上に設置する必要がある。そのため、このような設置場所の制約により、イオン水生成器１００の商品自体の魅力が半減してしまうばかりか、購入意欲を低減し買い控えにも繋がる可能性もある。
また、どうにか設置することができたとしても、分岐ホース１１や捨水ホース１２の取廻しによって、シンク２６周りが煩雑となり、台所自体の使用に対して、快適性を損ないかねないといった問題もある。
【０００７】
そこで、本発明では、上記の問題点を解決すべく、設置場所の制約を受けないイオン水生成器を提供することにある。そして、台所の使用に対して、さらに快適性を向上させることができるイオン水生成器を提供することにある。
【０００８】
【課題を解決するための手段】
前記課題を克服するために、本発明の請求項１では、イオン水を生成する電解槽を備えたイオン水生成器であって、このイオン水生成器は、薄型の箱形状をしており、この箱形状の幅狭の側面に操作部を配置し、かつ、前記設置面は、少なくとも、この操作部を有する幅狭の側面に対向する幅狭の側面と、この操作部を有する幅狭の側面に隣接する幅狭の側面と幅広の側面と、から選択してなり、更に、通水のための導入口と捨水を排水するための導出口とを少なくとも２面にそれぞれ配置し、一方の導入口と導出口とにホースを接続し、他方の導入口と導出口とに塞ぎ蓋で塞ぐことを特徴とするイオン水生成器とした。
【０００９】
これにより、使用者の台所事情にあわせて、使用者自身が選択して設置場所を決めて、イオン水生成器を好きな向きに配置することができる。特に、イオン水を生成する電解槽と原水（水道水）の異物等を除去する浄水カートリッジとを分離して、イオン水生成器には電解槽を配置し、浄水カートリッジはイオン水生成器には設けず別体として設けることで、イオン水生成器の形状をさらにスリムにすることができ、設置場所の制約を低減することができる。
また、さらに、電解槽を無隔膜電解槽とすることで、電解に必要な電力を供給するトランスを小さくすることができるため、さらにスリムにすることができる。
また、本発明のイオン水生成器においては、さらに浄水カートリッジを内蔵してないイオン水生成器とすることがより好ましい。なお、ここで言う「浄水カートリッジを内蔵してない」とは、イオン水生成器本体内に浄水カートリッジを配置せずに、イオン水生成器本体に外付けしている場合も含む。
【００１１】
これにより、いずれの側面を設置面として採用したとしても、つねに操作部を使用者側に配置することができ、操作性を損ねることはない。そのため、設置場所の制限を低減することができる。特に薄型の矩形状とし、幅狭の長手の側面に操作部を設けることで、さらに設置性と操作性を向上させることができる。
【００１５】
これにより、イオン水生成器を好きな向きに配置しても、その配置に対してイオン水生成器に接続する通水のためのホースの接続面を決められるので、ホースの取廻しが容易に行なえ、イオン水生成器を設置する際にホースが邪魔になることがない。
【００２０】
本発明の請求項２では、前記イオン水生成器の幅広の側面が金属板で形成されていることを特徴とするイオン水生成器とした。
【００２１】
これにより、イオン水生成器の強度を確保することができる。つまり、前述のように設置に自由度を持たせているため、幅広の側面を設置面とした場合、イオン水生成器の上となる幅広の側面に台所の小物を載置することができる。そのため、イオン水生成器を設置しても、小物を置いておくスペースを確保することができ、台所の快適性を向上することができる。
【００２２】
本発明の請求項３では、前記イオン水生成器のイオン水を使用者に供給する吐水管は、操作部を有する面に接続してなることを特徴とするイオン水生成器とした。
【００２３】
これにより、いずれの側面を設置面として採用したとしても、つねに操作部を使用者側に配置することができ、操作性を損ねることはなく、さらに吐水管の取廻しも楽に行なえ、容易にイオン水を吐水することができ、使用勝手のよいイオン水生成器を提供することができる。
【００２４】
本発明の請求項４では、前記吐水管は、側面に斜めに配置した突設部とこの突設部に連通されたフレキシブルホースとから構成され、さらに、突設部は、回転自在に設けられていることを特徴とするイオン水生成器とした。
【００２６】
【発明の実施の形態】
以下に図面を参照して本発明をより具体的に説明する。
図１、図２に本発明におけるイオン水生成器１の実施例をそれぞれ示す。
このイオン水生成器１は、図１５、図１６に示すように、イオン水を生成する電解槽３１、制御部３３、電源基板（トランス）３２を内部に備えている。特に、このイオン水生成器１は、イオン水（アルカリイオン水や酸性水）を生成する電解槽３１と原水（水道水）の異物等を除去する浄水カートリッジ２２とを分離して、イオン水生成器１に電解槽３１を配置し、浄水カートリッジ２２は独立して別体に形成している。このように浄水カートリッジを独立して別体に形成することで、イオン水生成器をより薄型でさらにコンパクトに形成することができる。
【００２７】
また、このイオン水生成器１は、その本体の少なくとも３面を設置面１５、１８、１９、（２０）として選択可能とすることで、台所事情に合わせて設置形態を変えることができる。
特に、イオン水生成器１は、薄型の箱形状をしており、幅狭の長手の側面１６に操作部２を配置している。また、設置面としては、少なくともこの操作部２を有する側面１６に対向する側面１８と、この操作部２を有する側面１６に隣接する２側面１５、１９、（２０）とから選択できるように構成することが好ましい。
また、全側面１５、１６、１７、１８、１９、２０が平面形状にて形成されていると固定具を用いずにも安定して配置することができる。
さらに、幅広の側面１５、２０を金属板で形成するとよい。さらに、カルシウム等の溶質を添加する添加口１３を操作部２と同一側面１６に設けている。
なお、図１および図２は、操作部２と対向する幅狭の長手の側面１８を設置面とした場合を示している。
【００２８】
また、図１に示すように、イオン水生成器１のイオン水を使用者に供給する吐水管４は、操作部２を有する側面１６に配置するとよい。
具体的には、この吐水管４は、斜め方向（約４５度）に突設させた突設部５にフレキシブルホース６を接続している。そして、この突設部５は３６０度回転自在に設けられている。
【００２９】
また、図２では、吐水管４を操作部２に隣接した幅狭の短手の側面１７に設けている。具体的には、筒状の突設部５をその側面１７に垂直に設けている。そして、この筒状の突設部５の側面にフレキシブルホース６を接続している。また、この突設部は３６０度回転自在に設けられている。この場合、設置面は操作部２を有する側面１６と対向する側面１８としている。
【００３０】
また、イオン水生成器１は、通水のための導入口７と導出口８とを少なくとも２面にそれぞれ配置し、一方の導入口７と導出口８とにそれぞれ分岐ホース１１と捨水ホース１２を接手１０を介して接続し、他方の導入口７と導出口８とを塞ぎ蓋９で塞ぐようにしている。
図１７には、導入口７と導出口８の部分断面図の概略を示している。
図示するように、通水路３４を十字状に形成し、通水路３４の端部を各３つの側面１５、１７、２０に設けている。側面１７に接手１０を接続しており、他の側面１５、２０には塞ぎ蓋９を設けている。従って、どの側面を設置面にするかにより、接手１０と塞ぎ蓋９とを選択して、設置位置に支障なく水の導入出力を可能にすることができる。
【００３１】
図３は、イオン水生成器１の幅広の側面１５を設置面とした場合を示している。特に、出窓カウンターや対面カウンタや吊棚にイオン水生成器１を設置する場合に有効である。
この場合、操作部２は使用者側を向いており、操作しやすくさらに、上面がステンレスなどの金属板を設けた側面とすると、上部へ台所用の備品等の載置が可能となる。
【００３２】
次に図４は、操作部２の長手の側面１６と隣接する幅狭の短手の側面１７を設置面とし縦置きとした場合を示している。特に幅の狭い場所に設置したいときに図示するように縦長に配置するとよい。この場合においても、操作部２は、使用者側に向いており、操作しやすい。
【００３３】
図５は、操作部２の表示を示している。
この操作部２は、イオン水のｐＨの切替やイオン水生成器１の処理情報を表示している。アルカリイオン水、清水（浄水）、酸性水の操作ボタン３がｐＨの順に配列している。特に、使用者に分かりやすくするために、ｐＨに応じて使用する対象物を表示している。
また、ランプ３ａにより何を選択しているか分かるようにしている。
なお、図５（Ａ）では、図１乃至４に示すように設置形態を変えた場合においても表示が使用者に分かりやすくなるように斜めに表示している。
このように操作部の表示を斜めにしていることで、３側面１８、１９、２０のどの向きにイオン水生成器１を配置しても文字が逆さまとなるようなことがなく、使用者に不快感を与えることがない。また、図５（Ｂ）と図５（Ｃ）の表示の２シートをシールとして用意しておき、設置向きに合わせていずれかを選択して貼付するようにしてもよい。
【００３４】
図６および図７には、本発明のイオン水生成器１を用いる場合の水栓２３と浄水カートリッジ２２との組み合わせの一例を示す。
図６は、台所のキャビネット内に浄水カートリッジ２２を収納し、台所のシンク２６に設置したビルトインタイプの浄水器用水栓２３から分岐し本発明のイオン水生成器１を介在させる組み合わせ例である。
図７は、水栓２３の先端に取り付ける浄水カートリッジ２２を内蔵した浄水器２４の切替弁３５から水を供給し、本発明のイオン水生成器１を設ける場合の組み合わせ例である。
このように電解槽３１を備えたイオン水生成器１と、浄水カートリッジ２２とを分離して別体に設けることで、ビルトインの浄水器や水栓２３の先端に取り付ける浄水器２４を購入した使用者が本発明のイオン水生成器１を利用すれば、その浄水器２４を無駄にすることなく利用して、清水の他にアルカリイオン水を得ることができる。そのため、浄水器２４を購入している使用者がさらにアルカリイオン生成の機能を追加したいときに低コストで購入することが可能となり、購入意欲を促進させることができる。
また、図１９に示すように、イオン水生成器１の側面に別体の浄水カートリッジを外付けしてもよい。
【００３５】
次に、具体的に台所に本発明のイオン水生成器１を設置した場合の使用状態を図を基に説明する。
図８および図９は、水栓２３のスパウト２５内に浄水カートリッジ２２を収納した場合において、このスパウト２５から分岐し、本発明のイオン水生成器１を介在させた使用状態である。図８および図９は、イオン水生成器１をそれぞれ図１および図２に示すような設置の方法で台所のシンク２６の後方に配置している。
操作部２が上方に向いているため、前方の側面１５に図５（Ｂ）に示すような操作部２の表示シール２ａをさらに貼付してもよい。この場合、操作部２が見えなくとも、表示シール２ａを手がかりに操作部２の操作ボタン３を押すことができる。
なお、イオン水生成器１の接手１０に捨水ホース１２を接続している。
【００３６】
また、吐水管４もシンク２６に向かって配置されている。特に図８に示すイオン水生成器１の場合、吐水管４は側面１６に対して突設部５が回転自在となって斜め（４５度）方向に向いている構成となっている。そのため、使用するシンク２６側に突設部５を向ける突設部５に連設したフレキシブルホース６をシンク２６内に向けることができる。つまり、突設部５が回転自在でしかも斜め方向に向いているため、イオン水生成器１の設置形態（向き）を変えても、フレキシブルホース６は常に突設部５からシンク２６までを短い距離長でよく、必要以上に長くする必要がない。そのため、フレキシブルホース６の軌跡は緩やかとなり、台所使用時にフレキシブルホース６が邪魔になることがない。さらに、この場合、吐水管４を操作部２と同一側面１６に設けているので、操作部２の側面１６以外の５つの面１５、１７、１８、１９，２０を設置面とすることができる。
【００３７】
また、図９に示すイオン水生成器１の場合、吐水管４は操作部２を有する側面１６に隣接する幅狭の短手の側面１７の操作部２よりに設けている。特に、側面１７に突設部５を回転自在に設け、フレキシブルホースをその突設部５から９０度向きを変えて設けているため、フレキシブルホースを設置の形態に合わせて回転させることによりシンク２６内に設けることができる。この場合も、フレキシブルホース６は常に突設部５からシンク２６までを短い距離長でよく、必要以上に長くする必要がない。そのため、フレキシブルホース６の軌跡は緩やかとなり、台所使用時にフレキシブルホース６が邪魔になることがない。
【００３８】
図１０は、台所の出窓カウンター２９などに図３に示すような設置の方法で台所に配置した使用状態を示す。この場合、上方の側面２０を台所の備品を置くスペースとして利用することができる。この場合も、操作部２は使用者側の前方に向けて、イオン水生成器１を配置することができる。また、吐水管４もシンク２６側に向けて利用することができるので、フレキシブルホース６を必要以上に長くする必要がなく、台所使用時にフレキシブルホース６が邪魔になることがない。また、水栓２３からの水供給用の導入口７と捨水を排水するための導出口８を設置に合わせて、幅狭の側面１７側とすることができる。そのため、分岐ホース１１や捨水ホース１２が邪魔となることもなく、また、がたつかないように安定して幅広の側面１５を設置面としてイオン水生成器１を設置できるとともに、上方の側面２０の全面を備品載置スペースとして利用することができる。
【００３９】
図１１は、台所の出窓カウンター２９などに図４に示すような設置の方法で台所に配置した使用状態を示す。設置面の幅寸法が取れない場合には、このように縦型に配置して利用することができる。この場合も、操作部２は使用者側の前方に向けて、イオン水生成器１を配置することができる。また、吐水管４もシンク２６側に向けて利用することができるので、フレキシブルホース６を必要以上に長くする必要がなく、台所使用時にフレキシブルホース６が邪魔になることがない。また、水栓２３からの水供給用の導入口７と捨水を排水するための導出口８を設置に合わせて、幅広の側面２０側とすることができる。そのため、分岐ホース１１や捨水ホース１２が邪魔となることもない。また、設置面として、幅狭の側面１７を選択し、その側面１７には凹凸のない平面形状とすることができるため、がたつかないように安定してイオン水生成器１を設置することができる。
【００４０】
次に、図１２に、台所のシンク２６と水栓２３と水栓２３裏側のバックハンガ２８等の配置寸法について説明する。シンク２６の種類や水栓２３の設置によって、台所のシンク２６と水栓２３と水栓２３裏側のバックハンガ２８等の配置寸法が異なる。そのため、国内メーカーの１１社の上述する寸法を調査してみた。設置した水栓２３の裏側の寸法Ａは、５ｍｍから６５ｍｍの範囲に設定されており、ほとんどが３５ｍｍから６５ｍｍ内であった。また、バックハンガ２８まで含めると、２５ｍｍから８５ｍｍの範囲に設定されており、ほとんどが５０ｍｍ以上であった。
つまり、本発明のイオン水生成器１は、浄水カートリッジを別体に設け、薄型形状のため設置形態を変えることができる。そのため、水栓２３の左右のスペースＣと、さらにシンク横の狭いスペースＤ（作業台でない方の狭いスペース）に設置スペースがない場合であっても、なんらかの設置形態で水栓２３の裏側寸法ＡやＢ内に配置することができる。したがって、本発明のイオン水生成器１は、ほとんどの台所に設置可能である。
【００４１】
次に、図１３および図１４に、イオン水生成器１の固定具２９を用いた場合の設置構造を示す。
図１や図２などで、イオン水生成器１の幅広の側面１５、２０の四隅に固定具２９を取付ける取付部１４を設けている。なお、イオン水生成器本体を左右に２分割しているため、この取付部１４を用いて、左右２分割したカバーを接続するようにしている。この取付部１４と固定具２９を利用することで、さらに確実にイオン水生成器１を設置することができる。
次に具体的な設置例を図１３、図１４を用いて説明する。図１３（Ａ）は、固定具２９をネジ式としており、ネジの調整により段差のあるところに安定して設置することができるようにしている。図１３（Ｂ）および（Ｃ）は、それぞれ長手の側面および短手の側面を設置面とし縦置きした場合である。このように設置面が小さい場合には、末広の固定具２９を用いてイオン水生成器１の取付部１４にビス２９ａで固定して設置面積を広くしてさらに倒れにくくしてもよい。図１４は、設置するシンクトップ２６ａ面がフラットの場合に、壁に係止して、動かないように固定する場合を示している。図１４（Ａ）は全体図、図１４（Ｂ）は、部分拡大図を示している。まず壁に壁固定片３０を固定し、図１３（Ａ）と同様の固定具２９、２９ａをイオン水生成器１に固定し、壁固定片３０に固定具２９、２９ａを係止している。なお、図示しないが、幅広の側面２０、（１５）が平面形状のため、この取付部１４を利用して、イオン水生成器１を壁掛けにして利用することが可能である。
【００４２】
次に、図１５にて、イオン水生成器１の内部構造を示している。
イオン水生成器１の本体を形成するカバー内に少なくともイオン水を生成する電解槽３１、電源基板３２、制御部３３および操作部２とを備えている。そして、この電解槽３１と、電源基板３２、制御部３３および操作部２とを有する制御ユニットと、添加ユニット１３ａと、水路を分岐する通水ベース部３１aとをカバーにそれぞれ取り付けている。特に、イオン水生成器１は、図１に示すように薄型の箱形状として、幅狭の側面１６、１７、１８、１９で左右に分割したカバーを重ね合わせることで本体を形成している。
【００４３】
そして、図１９に示すように電解槽３１の上流側に通水ベース部３１aを取付け、通水ベース部３１aとカルシウム等の溶質を添加口１３から添加する添加ユニット１３aとをホース３７aにて接続し、さらに添加ユニット１３aと電解槽３１とをホース３７ｂにて接続し、電解槽３１で電解されたイオン水（アルカリイオン水または酸性水）を吐水する吐水管４を接続する突設部５を通水ベース部３１aに取付ている。また、この突設部５には、凹凸形状のスプライン５ａが歯車状に形成されており、このスプライン５ａに係止する係止バネ５ｂをカバー側に備えている。そして、スプライン５ａの凹部に係止バネ５ｂの先端が入り込み、この係止バネ５ｂの付勢力により、フレキシブルホースの自重により突設部５が不用意に回転せずに、突設部５を所定の角度に保持することができる。なお、捨て水は、電解槽３１から通水ベース部３１aを介して捨水ホース１２（図１９では図示せず）にて排水する。
さらに、図１９では、浄水カートリッジ２２を通水ベース部３１aの上流側に取り付けている。なお、この浄水カートリッジ２２は、カートリッジ交換用蓋２２aを取り外して、内部に配置しているカートリッジ本体を交換することができるようになっている。
【００４４】
これらの電解槽３１と、通水ベース部３１aと、添加ユニット１３aと、突設部５と、ホース３７a、、３７ｂとを通水可能に接続した後、図２０に示すように、外観を形成するカバー１aにそれぞれが重なり合わないようにねじ止めして取り付ける。さらに、制御ユニット（図２０において詳細構造は省略している）をカバー内にネジとめする。さらに制御ユニットの電力を供給するための電源コードをカーバー１aの切欠部に固定する。
そして、操作部２をカバー１aの側面切欠部に差込むように取り付ける。そして、各機能部に通電可能に配線をする。
そして、他方のカバー１ｂを覆うように被せ、４隅の取付部にブッシュを締め込んで、組立を完了する。
【００４５】
このようにこのカバーの一方に電解槽３１と、電源基板３２と制御部３３と操作部２を有する制御ユニットとをそれぞれ重なり合わないように取付けることでスリム化を実現することができる。そして、カバーとカバーとを重ね合わせ、対向する両幅広の側面１５、２０の４隅に設けた取付部１４により、カバー同士を接続している。さらに、この取付け部に固定具を取付け可能としている。
なお、ここでは、最良の実施例として、制御部３３および電源基板３２を一体的にユニット化して形成し、組み立て性を向上させているが、それぞれを取り付けてもよい。また、電源基板３２および制御部３３と、操作部２と、を別々に取り付けているが、全てを１つのユニットとして形成しておき取り付けても良い。
【００４６】
さらに、図１６に、イオン水生成器１のブロック図を示す。水道水を水栓２３の先端に設けた切換弁３５で水栓２３のスパウト２５から吐水するかイオン水生成器１に分水するかを選択する。そして、イオン水生成器１側に分水した場合、その分水を浄水カートリッジ２２を介してイオン水生成器１の本体内に搬送する。さらに、操作部２で設定された情報を制御部３３に送り、この制御部３３からの信号を受け、水温サーミスタで温度を検知し、さらに流量センサで流量を検知し、さらにカルシウムの添加口１３を経由して、電解槽３１に水を供給する。そして、この電解槽３１で水を電解し、アルカリイオン水または酸性水が吐出管４より放出される。そして、そのときに発生した不要な水を捨水ホース１２で排水する。なお、図は、アルカリイオン水１を吐水管４から吐水する場合を示している。
【００４７】
イオン水生成器１に設ける電解槽３１は、無隔膜電解槽を採用することが好ましい。これにより、供給電力が小さくで済み、電源基板（トランス）３２のサイズをコンパクトにすることができるため、イオン水生成器１をより薄型にすることができるのである。本発明のイオン水生成器１は、約４０ｍｍという薄型を実現することが可能となった。そのため、上述したようにほとんどの台所に制約なく設置することができる。
【００４８】
なお、これに対して、図１８には電解槽３１として隔膜ありの電解槽を用いた場合の例を示す。この場合、水を電解するためには無隔膜電解槽に比べ供給電力を多く必要とするため、電源基板（トランス）３２が大きくなる。そのため、この電源基板３２をイオン水生成器１の本体とは別体に設けて、本体の薄型を実現することができる。
【００４９】
上述した本実施例においては操作部９と電源コードを異なる平面上に構成しているが、設置面の自由度を向上させる目的で同一平面上に構成することも可能であることは言うまでも無い。
【００５０】
【発明の効果】
以上の本件発明により、設置場所の制約を受けないイオン水生成器を提供することができる。そして、台所自体の使用に対して、さらに快適性を向上させることができるイオン水生成器を提供することができる。つまり、設置形態を変形させ、色々な台所事情に対応することができるので、使用者にとって魅力のある、使い勝手の良いイオン水生成器を提供することが可能となる。
【図面の簡単な説明】
【図１】本発明における一実施の形態であるイオン水生成器を示す。
【図２】本発明における他の一実施の形態であるイオン水生成器を示す。
【図３】図１のイオン水生成器の幅広の側面を設置面とした場合の斜視図を示す。
【図４】図１のイオン水生成器の縦長に設置した場合の斜視図を示す。
【図５】図１および図２の操作部の表示を示す。
【図６】本発明のイオン水生成器と浄水カートリッジと水栓との組み合わせを示す。
【図７】本発明のイオン水生成器と水栓のスパウトに取り付けられた浄水器との組み合わせを示す。
【図８】図１のイオン水生成器を台所に設置した使用状態を示す。
【図９】図２のイオン水生成器を台所に設置した使用状態を示す。
【図１０】図１のイオン水生成器を台所に設置した別の使用状態を示す。
【図１１】図１のイオン水生成器を台所に設置した別の使用状態を示す。
【図１２】台所の平面図の配置寸法を示す。
【図１３】イオン水生成器の設置構造を示す。
【図１４】イオン水生成器の設置構造を示す。
【図１５】図１のイオン水生成器の内部構造を示す。
【図１６】本発明におけるイオン水生成器のブロック図を示す。
【図１７】本発明におけるイオン水生成器の通水路を示す拡大一部断面図を示す。
【図１８】トランスをイオン水生成器本体とは別に設けた場合を示す。
【図１９】別体の浄水カートリッジを外付けしたイオン水生成器の組立手順を示す。
【図２０】別体の浄水カートリッジを外付けしたイオン水生成器の組立手順を示す。
【図２１】従来のイオン水生成器の使用状態を示す。
【符号の説明】
１  イオン水生成器
２  操作部
３  操作ボタン
４  吐水管
５  突設部
６  フレキシブルホース
７  導入口
８  導出口
９  塞ぎ蓋
１０  接手
１１  分岐ホース
１２  捨水ホース
１３  添加口
１４  取付部
１５  幅広の一側面
１６  幅狭（長手）の一側面
１７  幅狭（短手）の一側面
１８  幅狭（長手）の他側面
１９  幅狭（短手）の他側面
２０  幅広の他側面
２１  電源コード
２２  浄水カートリッジ
２３  水栓
２４  浄水器
２５  スパウト
２６  シンク
２７  出窓カウンター
２８  バックハンガー
２９  固定具
３０  壁固定片
３１  電解槽
３２  電源基板
３３  制御部
３４  通水路
３５  切替弁
３６  電源
１００  従来のイオン水生成器
【図１】
0004120428.tif 000002
【図２】
0004120428.tif 000003
【図３】
0004120428.tif 000004
【図４】
0004120428.tif 000005
【図５】
0004120428.tif 000006
【図６】
0004120428.tif 000007
【図７】
0004120428.tif 000008
【図８】
0004120428.tif 000009
【図９】
0004120428.tif 000010
【図１０】
0004120428.tif 000011
【図１１】
0004120428.tif 000012
【図１２】
0004120428.tif 000013
【図１３】
0004120428.tif 000014
【図１４】
0004120428.tif 000015
【図１５】
0004120428.tif 000016
【図１６】
0004120428.tif 000017
【図１７】
0004120428.tif 000018
【図１８】
0004120428.tif 000019
【図１９】
0004120428.tif 000020
【図２０】
0004120428.tif 000021
【図２１】
0004120428.tif 000022